(57)【要約】【課題】柱部を簡易にしてコスト競争力を向上させる高架橋の据付方法及びその据付設備を提供する。【解決手段】一方の柱部７，８から所定の間隔を介して他方の柱部８を仮設ワイヤ１４の張設により立設し、一方の柱部７，８と他方の柱部８に高架橋ユニット９を橋渡し、他方の柱部８から仮設ワイヤ１４を取り除く手順からなる工程を備え、  工程を繰り返すことにより高架橋ユニット９に他の高架橋ユニット９を接続して高架橋を構成する。これにより、仮設ワイヤ１４を再度使用し得ると共に、簡易な形状の柱部８を立設して高架橋を構成し、製造コストを低減してコスト競争力を向上させることができる。【選択図】図５
2005256283.tif 000002
【特許請求の範囲】
【請求項１】
一方の柱部から所定の間隔を介して他方の柱部を仮設ワイヤの張設により立設し、一方の柱部と他方の柱部に高架橋ユニットを橋渡し、他方の柱部から前記仮設ワイヤを取り除く手順からなる工程を備え、
前記工程を繰り返すことにより高架橋ユニットに他の高架橋ユニットを接続して高架橋を構成することを特徴とする高架橋の据付方法。
【請求項２】
柱部を平面状の柱部にする請求項１記載の高架橋の据付方法。
【請求項３】
両端に位置する柱部を自立型の柱部にする請求項１記載の高架橋の据付方法。
【請求項４】
柱部を立設する前に柱部用の土台部を設け、仮設ワイヤを張設する際には、仮設ワイヤを、一方の柱部の下部から他方の柱部の上方まで張設すると共に、他方の柱部の上方から土台部まで張設する請求項１〜３のいずれかに記載の高架橋の据付方法。
【請求項５】
土台部に仮設ワイヤを張設する際には、土台部に、仮設ワイヤを締結する仮設ワイヤ用ベースプレートを配置し、前記土台部に柱部を立設する際には仮設ワイヤ用ベースプレートを取り外して柱部を立設する請求項４記載の高架橋の据付方法。
【請求項６】
複数の柱部と、該柱部を立設する仮設ワイヤと、高架橋を構成するよう複数の柱部に橋渡される高架橋ユニットとを備えた高架橋の据付設備であって、
一方の柱部から所定の間隔を介して他方の柱部を仮設ワイヤの張設により立設し、一方の柱部と他方の柱部に高架橋ユニットを橋渡し、他方の柱部から前記仮設ワイヤを取り除く手順からなる工程を備えるよう構成されたことを特徴とする高架橋の据付設備。
【請求項７】
柱部を平面状の柱部にした請求項６記載の高架橋の据付設備。
【請求項８】
両端に位置する柱部を自立型の柱部にした請求項６記載の高架橋の据付設備。
【請求項９】
柱部を立設する柱部用の土台部を備え、仮設ワイヤを張設する際には、仮設ワイヤを、一方の柱部の下部から他方の柱部の上方まで張設すると共に、他方の柱部の上方から土台部まで張設するよう構成した請求項６〜８のいずれかに記載の高架橋の据付設備。
【請求項１０】
仮設ワイヤを締結するよう土台部に仮設ワイヤ用ベースプレートを備え、前記仮設ワイヤ用ベースプレートは、前記土台部に柱部を立設する際に取り外すよう構成された請求項９記載の高架橋の据付設備。
【発明の詳細な説明】
【技術分野】
【０００１】
本発明は、ベルトコンベア橋や配管橋等の高架橋を設ける高架橋の据付方法及びその据付設備に関するものである。
【背景技術】
【０００２】
一般に、ベルトコンベア橋や配管橋等の高架橋を設ける際には、図１１、図１２に示す如く土台部１を所定の間隔で設けた後、夫々の土台部１に、四本以上の支柱２と複数の連結材３を組み合わせて立方体にした自立型の柱部４を設け、次に、隣接する二つの柱部４の連結材３に高架橋ユニット５を橋渡することにより、複数の高架橋ユニット５を接続して高架橋６を構成している。
【０００３】
このように、自立型の柱部４を据付けた後に高架橋ユニット５を載置する工程からなる高架橋６の据付方法及びその据付設備は、柱部４の据付けが容易であると共に、柱部４を設けた後に高架橋ユニット５を容易に載置することが可能となる。なお、このような高架橋を支持する手段としては次の特許文献１がある。
【特許文献１】特許第２７２２７０３号公報
【発明の開示】
【発明が解決しようとする課題】
【０００４】
しかしながら、上述のような自立型の柱部４を全ての土台部１に配置すると、柱部４を構成する物量が多くなるため、柱部４の搬送及び立設による多くの手間と時間を必要とし、製造コストの上昇によりコスト競争力が低下するという問題があった。
【０００５】
本発明は上述の実情に鑑み、柱部を簡易にしてコスト競争力を向上させる高架橋の据付方法及びその据付設備を提供することを目的としたものである。
【課題を解決するための手段】
【０００６】
本発明の請求項１は、一方の柱部から所定の間隔を介して他方の柱部を仮設ワイヤの張設により立設し、一方の柱部と他方の柱部に高架橋ユニットを橋渡し、他方の柱部から前記仮設ワイヤを取り除く手順からなる工程を備え、
前記工程を繰り返すことにより高架橋ユニットに他の高架橋ユニットを接続して高架橋を構成することを特徴とする高架橋の据付方法、にかかるものである。
【０００７】
本発明の請求項２は、柱部を平面状の柱部にする請求項１記載の高架橋の据付方法、にかかるものである。
【０００８】
本発明の請求項３は、両端に位置する柱部を自立型の柱部にする請求項１記載の高架橋の据付方法、にかかるものである。
【０００９】
本発明の請求項４は、柱部を立設する前に柱部用の土台部を設け、仮設ワイヤを張設する際には、仮設ワイヤを、一方の柱部の下部から他方の柱部の上方まで張設すると共に、他方の柱部の上方から土台部まで張設する請求項１〜３のいずれかに記載の高架橋の据付方法、にかかるものである。
【００１０】
本発明の請求項５は、土台部に仮設ワイヤを張設する際には、土台部に、仮設ワイヤを締結する仮設ワイヤ用ベースプレートを配置し、前記土台部に柱部を立設する際には仮設ワイヤ用ベースプレートを取り外して柱部を立設する請求項４記載の高架橋の据付方法、にかかるものである。
【００１１】
本発明の請求項６は、複数の柱部と、該柱部を立設する仮設ワイヤと、高架橋を構成するよう複数の柱部に橋渡される高架橋ユニットとを備えた高架橋の据付設備であって、
一方の柱部から所定の間隔を介して他方の柱部を仮設ワイヤの張設により立設し、一方の柱部と他方の柱部に高架橋ユニットを橋渡し、他方の柱部から前記仮設ワイヤを取り除く手順からなる工程を備えるよう構成されたことを特徴とする高架橋の据付設備、にかかるものである。
【００１２】
本発明の請求項７は、柱部を平面状の柱部にした請求項６記載の高架橋の据付設備、にかかるものである。
【００１３】
本発明の請求項８は、両端に位置する柱部を自立型の柱部にした請求項６記載の高架橋の据付設備、にかかるものである。
【００１４】
本発明の請求項９は、柱部を立設する柱部用の土台部を備え、仮設ワイヤを張設する際には、仮設ワイヤを、一方の柱部の下部から他方の柱部の上方まで張設すると共に、他方の柱部の上方から土台部まで張設するよう構成した請求項６〜８のいずれかに記載の高架橋の据付設備、にかかるものである。
【００１５】
本発明の請求項１０は、仮設ワイヤを締結するよう土台部に仮設ワイヤ用ベースプレートを備え、前記仮設ワイヤ用ベースプレートは、前記土台部に柱部を立設する際に取り外すよう構成された請求項９記載の高架橋の据付設備、にかかるものである。
【００１６】
このように、本発明によれば、他方の柱部を仮設ワイヤの張設により立設し、高架橋ユニットの橋渡の後、他方の柱部から仮設ワイヤを取り除く手順を備えることにより、仮設ワイヤを再度使用し得ると共に、簡易な形状の柱部を立設して高架橋を構成するので、柱部の物量を低減して柱部の搬送及び立設による手間と時間を抑制し、製造コストを低減してコスト競争力を向上させることができる。
【００１７】
柱部を平面状の柱部にすると、柱部を極めて簡易な形状にし得るので、柱部の物量を更に低減して柱部の搬送及び立設による手間と時間を抑制し、製造コストを一層低減してコスト競争力を好適に向上させることができる。
【００１８】
両端に位置する柱部を自立型の柱部にすると、隣接する他方の柱部に仮設ワイヤを容易に張設することができると共に、高架橋ユニットを最初もしくは最後に橋渡しする際に高架橋ユニットを好適に載置することができる。
【００１９】
柱部を立設する前に柱部用の土台部を設け、仮設ワイヤを張設する際には、仮設ワイヤを、一方の柱部の下部から他方の柱部の上方まで張設すると共に、他方の柱部の上方から土台部まで張設すると、仮設ワイヤを容易に張設し得ると共に柱部を安定的に立設するので、柱部の立設による手間と時間を適切に抑制し、製造コストを一層低減してコスト競争力を更に好適に向上させることができる。
【００２０】
土台部に仮設ワイヤを張設する際には、土台部に、仮設ワイヤを締結する仮設ワイヤ用ベースプレートを備え、前記土台部に柱部を立設する際には仮設ワイヤ用ベースプレートを取り外して柱部を立設すると、仮設ワイヤを取り除いた後に、連続的に且つ容易に次の柱部を立設し得るので、柱部の立設による手間と時間を適切に抑制し、製造コストを一層低減してコスト競争力を更に好適に向上させることができる。
【発明の効果】
【００２１】
本発明の高架橋の据付方法及びその据付設備によれば、仮設ワイヤを再度使用し得ると共に、簡易な形状の柱部を立設して高架橋を構成するので、柱部の物量を低減して柱部の搬送及び立設による手間と時間を抑制し、製造コストを低減してコスト競争力を向上させることができるという優れた効果を奏し得る。
【発明を実施するための最良の形態】
【００２２】
以下、本発明の実施の形態を図面に基づいて説明する。
【００２３】
図１は本発明の高架橋の据付方法及びその据付設備を実施する形態例において自立型の柱部を配置した状態を示す概念図、図２は本発明の高架橋の据付方法及びその据付設備を実施する形態例において平面状の柱部を仮設ワイヤにより配置した状態を示す概念図、図３は自立型の柱部側フックを示す側面図、図４は仮設ワイヤ用ベースプレートを示す側面図、図５は本発明の高架橋の据付方法及びその据付設備を実施する形態例において高架橋ユニットを橋渡した状態を示す概念図、図６は本発明の高架橋の据付方法及びその据付設備を実施する形態例において平面状の柱部から仮設ワイヤを取り除いた状態を示す概念図、図７は本発明の高架橋の据付方法及びその据付設備を実施する形態例において他の平面状の柱部を仮設ワイヤにより配置した状態を示す概念図、図８は本発明の高架橋の据付方法及びその据付設備を実施する形態例において先の高架橋ユニットに他の高架橋ユニットを接続した状態を示す概念図、図９は本発明の高架橋の据付方法及びその据付設備を実施する形態例において他の平面状の柱部から仮設ワイヤを取り除いた状態を示す概念図、図１０は本発明の高架橋の据付方法及びその据付設備を実施する形態例において高架橋を完成した状態を示す概念図である。
【００２４】
本形態例の高架橋の据付設備は、図１〜図１０に示す如く、複数の自立型の柱部７と、自立型の柱部７の間に所定の間隔を介して配置される複数の平面状の柱部８と、自立型の柱部７と平面状の柱部８に若しくは平面状の柱部８同士に橋渡されるよう水平方向に延在する高架橋ユニット９と、平面状の柱部８を立設する仮設ワイヤ１４とから構成されている。
【００２５】
ここで、自立側の柱部７及び平面状の柱部８は、高架橋ユニット９の幅方向の両側下部（図１、図２、図５〜図１０では紙面側と紙面の向う側）に位置して高架橋ユニット９を支持し得るならば、門型でもよいし、どのような形状、配置でもよい。
【００２６】
以下、本形態例の高架橋の据付方法及びその据付設備を手順ごとに説明する。
【００２７】
ベルトコンベア橋や配管橋等の高架橋１０を設ける際には、最初に、図１に示す如く土台部１１を所定の間隔で設け、両端に位置する複数の土台部１１に、四本以上の支柱１２と複数の平行な連結材１３を組み合わせて立方体にした自立型の柱部７を設け、高架橋１０の水平力を負担し得るように配置する。ここで、両端に配置する自立型の柱部７は、予め両端に設けてもよいし、自立型の柱部７の一方のみを最初に設けて他方を後の所定時に設けてもよい。
【００２８】
次に、図２に示す如く、一方の端側に位置する自立型の柱部７から所定の間隔を介した位置の土台部１１には、一枚の平面状の柱部８を仮設ワイヤ１４の張設により立設する。ここで、自立型の柱部７の下方側部には、図３に示す如く、仮設ワイヤ１４を締結し得る自立型の柱部側フック１５を配置し、平面状の柱部８の上部には、仮設ワイヤ１４を締結し得る第一フック１６を備え、平面状の柱部８の下部には、仮設ワイヤ１４を締結し得る第二フック１７を備え、平面状の柱部８を未だ立設していない隣接の土台部１１には、図４に示す如く、仮設ワイヤ１４を締結し得る仮設ワイヤ用ベースプレート１８を配置している。又、仮設ワイヤ１４は、自立型の柱部側フック１５の穿設孔１５ａと、第一フック１６の穿設孔（図示せず）とに締結されて、自立型の柱部７の下部から平面状の柱部８の上方まで張設されると共に、第一フック１６の穿設孔（図示せず）と仮設ワイヤ用ベースプレート１８の穿設孔１８ａとに締結されて、平面状の柱部８の上方から土台部１１まで張設されており、平面状の柱部８を両側から引っ張って安定的に立設している。なお、仮設ワイヤ１４を張設する際には、仮設ワイヤ１４を、自立型の柱部７の下部から平面状の柱部８の上方までの部分と、平面状の柱部８の上方から土台部１１までの部分とを連ねるよう延長して張設してもよいし、別々に分けて張設してもよい。
【００２９】
続いて、図５に示す如く、自立型の柱部７の連結材１３と、平面状の柱部８の上端部とには、高架橋ユニット９を上方より載置して橋渡し、更に、図６に示す如く、仮設ワイヤ１４を、自立型の柱部側フック１５、第一フック１６、仮設ワイヤ用ベースプレート１８から取り外し、平面状の柱部８を自立させる。ここで、平面状の柱部８は、高架橋ユニット９の載置により上方から押えられており、仮設ワイヤ１４を取り除いても安定的に自立する。
【００３０】
次に、仮設ワイヤ用ベースプレート１８を備えた土台部１１から、仮設ワイヤ用ベースプレート１８を取り外し、図７に示す如く、一枚の他の平面状の柱部８を仮設ワイヤ１４の張設により立設する。ここで、他の平面状の柱部８の上部には、先の平面状の柱部８と略同様に、仮設ワイヤ１４を締結し得る第一フック１６を備え、平面状の柱部８の下方側部には、仮設ワイヤ１４を締結し得る第二フック１７を備え、柱部７，８を未だ立設していない隣接の土台部１１には、図４に示すものと略同様な仮設ワイヤ用ベースプレート１８を配置している。又、仮設ワイヤ１４は、先の平面状の柱部８における第二フック１７の穿設孔（図示せず）と、他の平面状の柱部８における第一フック１６の穿設孔（図示せず）とに締結されて、先の平面状の柱部８の下部から他の平面状の柱部８の上方まで張設されると共に、他の平面状の柱部８における第一フック１６の穿設孔（図示せず）と、仮設ワイヤ用ベースプレート１８の穿設孔１８ａに締結されて、他の平面状の柱部８の上方から土台部１１まで張設されており、他の平面状の柱部８を両側から引っ張って安定的に立設している。なお、仮設ワイヤ１４を張設する際には、仮設ワイヤ１４を、先の平面状の柱部８の下部から他の平面状の柱部８の上方までの部分と、他の平面状の柱部８の上方から土台部１１までの部分とを連ねるよう延長して張設してもよいし、別々に分けて張設してもよい。
【００３１】
続いて、図８に示す如く、先の平面状の柱部８の上端部と、他の平面状の柱部８の上端部とには、他の高架橋ユニット９を上方より載置して先の高架橋ユニット９に通じるよう接続し、更に、図９に示す如く、仮設ワイヤ１４を、第二フック１７、第一フック１６、仮設ワイヤ用ベースプレート１８から取り外し、他の平面状の柱部８を自立させる。ここで、他の平面状の柱部８は、高架橋ユニット９の載置により上方から押えられており、他の仮設ワイヤ１４を取り除いても安定的に自立する。
【００３２】
このように平面状の柱部８の立設、仮設ワイヤ１４の張設、高架橋ユニット９の設置、仮設ワイヤ１４の取り除きの手順からなる工程を繰返し、最後に、他方の端側に位置する自立型の柱部７の連結材１３と、先の高架橋ユニット９により既に隣接位置で自立する平面状の柱部８の上端部とに、高架橋ユニット９を上方より載置して橋渡し、図１０に示す如く、所定長さの高架橋１０を完成する。
【００３３】
以上のことから、本形態例によれば、平面状の柱部８を仮設ワイヤ１４の張設により立設し、高架橋ユニット９の橋渡の後、平面状の柱部８から仮設ワイヤ１４を取り除く手順を備えることにより、仮設ワイヤ１４を再度使用し得ると共に、自立型の柱部７でなくとも平面状等の簡易な形状の柱部８を立設して高架橋１０を構成するので、全体の柱部８の物量を低減して柱部８の搬送及び立設による手間と時間を抑制し、製造コストを低減してコスト競争力を向上させることができる。
【００３４】
柱部８を平面状の柱部８にすると、柱部８を極めて簡易な形状にし得るので、柱部８の物量を更に低減して柱部８の搬送及び立設による手間と時間を抑制し、製造コストを一層低減してコスト競争力を好適に向上させることができる。
【００３５】
両端に位置する柱部７を自立型の柱部７にすると、隣接する他方の柱部８に仮設ワイヤ１４を容易に張設することができると共に、高架橋ユニット９を最初もしくは最後に橋渡しする際に自立型の柱部７の連結材１３により高架橋ユニット９を好適に載置することができる。
【００３６】
柱部８を立設する前に柱部用の土台部１１を設け、仮設ワイヤ１４を張設する際には、仮設ワイヤ１４を、一方の柱部８の下部から他方の柱部８の上方まで張設すると共に、他方の柱部８の上方から土台部１１まで張設すると、仮設ワイヤ１４を容易に張設し得ると共に柱部８を安定的に立設するので、柱部８の立設による手間と時間を適切に抑制し、製造コストを一層低減してコスト競争力を更に好適に向上させることができる。又、平面状の柱部８及び仮設ワイヤ１４の位置を所定の配置に決定し得るので、設計時における構造計算を容易にすることができる。
【００３７】
土台部１１に仮設ワイヤ１４を張設する際には、土台部１１に、仮設ワイヤ１４を締結する仮設ワイヤ用ベースプレート１８を備え、前記土台部１１に柱部８を立設する際には仮設ワイヤ用ベースプレート１８を取り外して柱部８を立設すると、仮設ワイヤ１４を取り除いた後に、連続的に且つ容易に次の柱部８を立設し得るので、柱部８の立設による手間と時間を適切に抑制し、製造コストを一層低減してコスト競争力を更に好適に向上させることができる。
【００３８】
なお、本発明の高架橋の据付方法及びその据付設備は、上述の形態例のみに限定されるものではなく、仮設ワイヤの配置は平面状の柱部を安定的に立設するならば他の配置でもよいこと、柱部を簡単な形状にするならば平面状以外のものでもよいこと、その他、本発明の要旨を逸脱しない範囲内において種々変更を加え得ることは勿論である。
【図面の簡単な説明】
【００３９】
【図１】本発明の高架橋の据付方法及びその据付設備を実施する形態例において自立型の柱部を配置した状態を示す概念図である。
【図２】本発明の高架橋の据付方法及びその据付設備を実施する形態例において平面状の柱部を仮設ワイヤにより配置した状態を示す概念図である。
【図３】自立型の柱部側フックを示す側面図である。
【図４】仮設ワイヤ用ベースプレートを示す側面図である。
【図５】本発明の高架橋の据付方法及びその据付設備を実施する形態例において高架橋ユニットを橋渡した状態を示す概念図である。
【図６】本発明の高架橋の据付方法及びその据付設備を実施する形態例において平面状の柱部から仮設ワイヤを取り除いた状態を示す概念図である。
【図７】本発明の高架橋の据付方法及びその据付設備を実施する形態例において他の平面状の柱部を仮設ワイヤにより配置した状態を示す概念図である。
【図８】本発明の高架橋の据付方法及びその据付設備を実施する形態例において先の高架橋ユニットに他の高架橋ユニットを接続した状態を示す概念図である。
【図９】本発明の高架橋の据付方法及びその据付設備を実施する形態例において他の平面状の柱部から仮設ワイヤを取り除いた状態を示す概念図である。
【図１０】本発明の高架橋の据付方法及びその据付設備を実施する形態例において高架橋を完成した状態を示す概念図である。
【図１１】従来の高架橋の据付方法及びその据付設備において柱部を立設した状態を示す概念図である。
【図１２】従来の高架橋の据付方法及びその据付設備において柱部に高架橋ユニットを橋渡して高架橋を完成した状態を示す概念図である。
【符号の説明】
【００４０】
７    自立型の柱部
８    平面状の柱部
９    高架橋ユニット
１０    高架橋
１４    仮設ワイヤ
１５    自立型の柱部側フック
１６    第一フック
１７    第二フック
１８    仮設ワイヤ用ベースプレート
【図１】
2005256283.tif 000003
【図２】
2005256283.tif 000004
【図３】
2005256283.tif 000005
【図４】
2005256283.tif 000006
【図５】
2005256283.tif 000007
【図６】
2005256283.tif 000008
【図７】
2005256283.tif 000009
【図８】
2005256283.tif 000010
【図９】
2005256283.tif 000011
【図１０】
2005256283.tif 000012
【図１１】
2005256283.tif 000013
【図１２】
2005256283.tif 000014